(57)【特許請求の範囲】
【請求項１】
通気性の内袋に粒状の充填材を充填するとともに、内袋を気密性のある外袋内に収納し、この外袋の適所に通気栓を取り付けて逆止弁を内蔵させ、前記通気栓から外袋内の空気を吸引して外袋内および内袋内を脱気することにより、内袋内の粒状の充填材を密集固化させるようにしたエア吸引式物品保持装置であって、
前記粒状の充填材を被包装物品に接触する位置に配置し、その上で被包装物品を所定位置に収納して、前記通気栓から外袋内の空気を吸引して外袋内および内袋内を脱気させ、かつ内袋内の粒状の充填材を密集固化させ、前記被包装物品を所定位置において保持するようにしたことを特徴とするエア吸引式物品保持装置。
【請求項２】
前記粒状の充填材を充填した内袋が、気密性のある外袋内に移動可能に収納されていることを特徴とする請求項１記載のエア吸引式物品保持装置。
【請求項３】
前記粒状の充填材を充填した内袋が、断面筒状に形成され、かつ気密性のある外袋内に移動可能に収納されていることを特徴とする請求項１記載のエア吸引式物品保持装置。
【請求項４】
前記粒状の充填材を充填した内袋が、異なる形態の複数の組合せで構成され、かつ気密性のある外袋内に移動可能に収納されていることを特徴とする請求項１記載のエア吸引式物品保持装置。
【請求項５】
前記気密性のある外袋に設けた通気栓が、通気パイプを内装されており、通気栓からエアを吸引する際の通気栓の密閉を防止するようにしたことを特徴とする請求項１ないし４のいずれかに記載のエア吸引式物品保持装置。
【請求項６】
前記気密性のある外袋に設けた通気栓が、その内側端部に小径化した首部を形成されており、通気栓からエアを吸引する際の外袋の巻き込みを防止するようにしたことを特徴とする請求項１ないし４のいずれかに記載のエア吸引式物品保持装置。
【請求項７】
前記粒状の充填材を充填した内袋および内袋を収納した気密性のある外袋を、硬質の枠内に収納したことを特徴とする請求項１ないし４のいずれかに記載のエア吸引式物品保持装置。
【請求項８】
前記硬質の枠内に間仕切りを形成した上で、枠内に粒状の充填材を充填した内袋および内袋を収納した気密性のある外袋を収納したことを特徴とする請求項５に記載のエア吸引式物品保持装置。
【発明の詳細な説明】
【技術分野】
【０００１】
この発明は、エア吸引式物品保持装置及びその包装方法に関する。
【背景技術】
【０００２】
従来、電化製品や工業製品、食器やその他の物品を移送する際には、移送時の振動や衝撃から物品を保護するために、物品保持部が設けられた発泡又は非発泡合成樹脂製の緩衝材料からなる中敷きトレーを敷設した梱包容器を用いている。
しかしながら、この中敷きトレーだけでは移送時の振動や衝撃から物品を保護することができない場合が多い。特に、この種の梱包容器は多段に積層されて車両等に積み込まれるのであるが、移送時には梱包容器自体が揺れ動くことによって収容された物品が飛びはねたり、浮き上がったりして、物品が損傷する恐れがある。
【０００３】
このような場合には、梱包容器内の物品形状に成形した発泡合成樹脂成形品等を使用することが多い。しかしながら、前記成形品を用いる場合には各物品に応じて作成しなければならずコスト高となる。さらに、このような緩衝材料や成形品は使用後にどのように処理するか、あるいは不使用時の保管の問題がある。
【０００４】
以上のような従来技術の問題を解決するため、被包装物品が代わっても簡単に謙譲変化に対応することができ、しかも不使用時にはコンパクトにすることができるエアバッグ式あるいはエア吸引式の梱包材料が提案されている。
例えば、特開２００１−１６３３６１号公報（特許文献１参照）には、複数の箱部材からなりこれらの箱部材を互いに相対移動させることにより内容積を可変できる梱包箱と、不通気性材料により形成され脱気口を有する袋体、この袋体内に収容され脱気されるにつれて互いに密着状態に集合して固化状態となる粒状体とから構成され、前記梱包箱に入れられた被梱包物の外面と梱包箱内壁との間に配置されるフィット体とからなり、箱部材を相対的に接近させて内容積を小さくすることにより前記袋体内の空気を脱気させて、このフィット体によって被梱包物を梱包箱内に固定的に保持することを特徴とする梱包装置が記載されている。
【０００５】
実公昭５６−１２２１７号公報（特許文献２参照）には、箱体の内部に柔軟可擁性と気密性とを有する材料にて比較的薄手の袋状に形成した保持体の複数個を適宜の間隔を隔てその間に被包装物品を介在させるように上下方向に重ねて収納し、これら各保持体の内部には小粒状を呈し、袋内の空気券排除され減圧状態となると互に密着固結する性能の粒状体の適当量を充填密封し、且つ各保持体の一側寄りの部分に空気抜き栓を一体に取付け、さらに各保持体に取付けた空気抜き栓を箱体１の一側面を貫通して箱体の外部より操作しうるように突出させて成る包装容器が記載されている。
【０００６】
特開平４−２３９４７２号公報（特許文献３参照）には、包装用パッケージが複数個の要素パッケージを連結して構成され、各要素パッケージは外殻体と、この外殻体の内面に設けられた袋体からなる。そして、この袋体と外殻体で形成される空気量に空気などの気体が供給されると、連結された要素パッケージ内に収容されている被包装体を袋体が固定支持するようにした包装用パッケージが記載されている。
【０００７】
特開２００２−２９３３７７号公報（特許文献４参照）には、コンテナ本体の底部内面側に被包装物品を載置する内側エアバッグ本体が膨張可能に取り付けられていることを特徴とするエアバッグ付きコンテナが記載されている。
【特許文献１】特開２００１−１６３３６１号公報
【特許文献２】実公昭５６−１２２１７号公報
【特許文献３】特開平４−２３９４７２号公報
【特許文献４】特開２００２−２９３３７７号公報
【発明の開示】
【発明が解決しようとする課題】
【０００８】
しかしながら、前記のエアバッグ式の梱包材料（特許文献３，４参照）においては、エアバッグが膨張して被包装物品を押さえ込むものであるため、被包装物品に不必要な圧力が加えられて損傷を与えたり、被包装物品とエアバッグとの接触部分に加わる加圧力のためにエアバッグが破損することが頻発するといういう問題があった。
【０００９】
他方、前記のエア吸引式の梱包材料（特許文献１，２参照）においては、不通気性材料により形成された袋体内に、脱気されるにつれて互いに密着状態に集合して固化状態となる粒状体を収容したものであり、エアバッグ式における被包装物品への不必要な圧力や、エアバッグの破損の問題は存しない。
ところが、エア吸引式の梱包材料においては被包装物品を確実に包装するために、必要な部位に粒状体を集中させなければならないが、前記従来例の梱包材料では必要な部位に粒状体を集中させることが難しいという問題がある。
また、エアを吸引して粒状体を固化させる際に、脱気する通気栓に粒状体が吸い込まれて目詰まりを起こしやすく、充分に吸引することができなくなってしまうという問題があった。
【００１０】
この発明はこのような状況に鑑みて提案されたもので、移送時や取扱い時の振動や衝撃に対して物品を確実に保持することができ、しかもどのような物品についても側剤に対応することができ、併せて繰り返し使用ができる新規なエア吸引式物品保持装置を提供しようとするものである。
【課題を解決するための手段】
【００１１】
すなわち、請求項１のエア吸引式物品保持装置の発明は、通気性の内袋に粒状の充填材を充填するとともに、内袋を気密性のある外袋内に収納し、この外袋の適所に通気栓を取り付けて逆止弁を内蔵させ、前記通気栓から外袋内の空気を吸引して外袋内および内袋内を脱気することにより、内袋内の粒状の充填材を密集固化させるようにしたエア吸引式物品保持装置であって、
前記粒状の充填材を被包装物品に接触する位置に配置し、その上で被包装物品を所定位置に収納して、前記通気栓から外袋内の空気を吸引して外袋内および内袋内を脱気させ、かつ内袋内の粒状の充填材を密集固化させ、前記被包装物品を所定位置において保持するようにしたことを特徴とするものである。
【００１２】
請求項２のエア吸引式物品保持装置の発明は、前記粒状の充填材を充填した内袋が、気密性のある外袋内に移動可能に収納されていることをも特徴とするものである。
【００１３】
請求項３のエア吸引式物品保持装置の発明は、前記粒状の充填材を充填した内袋が、断面筒状に形成され、かつ気密性のある外袋内に移動可能に収納されていることをも特徴とするものである。
【００１４】
請求項４のエア吸引式物品保持装置の発明は、前記粒状の充填材を充填した内袋が、異なる形態の複数の組合せで構成され、かつ気密性のある外袋内に移動可能に収納されていることをも特徴とするものである。
【００１５】
請求項５のエア吸引式物品保持装置の発明は、前記気密性のある外袋に設けた通気栓が、通気パイプを内装されており、通気栓からエアを吸引する際の通気栓の密閉を防止するようにしたことをも特徴とするものである。
【００１６】
請求項６のエア吸引式物品保持装置の発明は、前記気密性のある外袋に設けた通気栓が、その内側端部に小径化した首部を形成されており、通気栓からエアを吸引する際の外袋の巻き込みを防止するようにしたことをも特徴とするものである。
【００１７】
請求項７のエア吸引式物品保持装置の発明は、前記粒状の充填材を充填した内袋、および内袋を収納した気密性のある外袋を、硬質の枠内に収納したことをも特徴とするものである。
【００１８】
請求項８のエア吸引式物品保持装置の発明は、前記硬質の枠内に間仕切りを形成した上で、枠内に粒状の充填材を充填した内袋および内袋を収納した気密性のある外袋を収納したことをも特徴とするものである。
【発明の効果】
【００１９】
以上に説明したように、この発明によれば、移送時や取扱い時の振動や衝撃に対して物品を確実に保持することができ、しかもどのような物品についても即座に対応することができ、併せて繰り返し使用ができる新規なエア吸引式物品保持装置を提供することができるようになった。
また、この発明のエア吸引式物品保持装置はエアの吸引および吸引解除により、繰り返して使用ができるものであるから、資源保護及び廃棄物処理の観点からも極めて好ましいものである。
【００２０】
特に、この発明によれば、以下の効果を得られることが理解される。
１）この発明のエア吸引式物品保持装置においては、内袋を外袋内の任意の位置に配置させることができるので、被包装物品の形状や強度に応じて無理のない位置で保持することができ、また加わる衝撃や求められる保持強度に応じた緩衝作用を自由に調節することが可能となった。
２）この発明のエア吸引式物品保持装置においては、内袋を外袋内の任意の位置に配置させることができるので、緩衝性の必要な部位に内袋を配置するとともに、それ以外の部位には他の緩衝材料を組付けることができ、被包装物品の形態に応じた適宜の組合せとすることにより、自由度の高い包装システムとすることができる。
もちろん、前記他の緩衝材料として粒状の充填材を充填した気密性のある背袋を外袋に一体的に組付けることも可能である。
３）この発明のエア吸引式物品保持装置においては、外袋に設けた通気栓が目詰まりを起こしにくく、くり返し使用してもトラブルの発生しにくい装置を提供することが可能となった。
４）この発明のエア吸引式物品保持装置においては、外袋を硬質の枠内に収納して使用することができる。
しかも硬質の枠内に間仕切りを形成した上で、枠内に粒状の充填材を充填した内袋および内袋を収納した気密性のある外袋を収納することにより、複数の被包装物品を包装あるいは保持する場合でも、所定の決められた位置において、確実に被包装物品を保持することができる。
【発明を実施するための最良の形態】
【００２１】
以下添付の図面に従ってこの発明を詳細に説明する。
図１はこの発明のエア吸引式物品保持装置の一実施例を示す斜視図、図２はその平面図、図３（ａ）はその断面図、（ｂ）は被包装物品を収納した状態の断面図、図４はこの発明のエア吸引式物品保持装置を梱包部材の中に収納する際の通気栓の処理の仕方を示す斜視図、図５は被包装物品を収納した状態の斜視図、図６は内袋に粒状の充填材を充填した状態の断面図、図７は外袋内に複数本並行に並べて配置した内袋の配列を示す概略図、図８は外袋内にほぼ四角形状に並べて配置した内袋の配列を示す概略図、図９は外袋内にほぼ三角形状に並べて配置した内袋の配列を示す概略図、図１０は外袋内にほぼ五角形状に並べて配置した内袋の配列を示す概略図、図１１は内袋を前記リング状に配列し、さらに積層状に積み上げた状態を示す斜視図、図１２はその概略断面図、図１３はリング状に積層した内袋とシート状の内袋の組合せを示す概略断面図、図１４は外袋に取り付けた通気栓の要部を示す部分拡大断面図、図１５はこの発明をエア吸引式物品保持装置を硬質の枠内に収納した状態を示す平面図、図１６この発明のエア吸引式物品保持装置の別の実施例を示す平面図、図１７（ａ）はその断面図、（ｂ）は被包装物品を収納した状態の断面図、図１８はこのエア吸引式物品保持装置の別の実施例を示す平面図、図１９はその使用状態の側面図である。
【００２２】
図１ないし図３に示したように、この発明に係るエア吸引式物品保持装置１０は、通気性の内袋１１に粒状の充填材１２を充填するとともに、前記内袋１１を気密性のある外袋１３内に移動可能に収納したものである。またこの外袋１３の適所には通気栓１４が取り付けてあり、該通気栓１４には逆止弁が付設してある。
そこで、前記通気栓１４の先端の外付けパイプ１５に吸引ポンプ（図示せず）の接続パイプを連結した上、外袋１３内の空気を吸引ポンプで吸引すれば、外袋１３内および内袋１１内から空気が排出され、内袋１１内の粒状の充填材１２が凝集して固化するようになっている。
１６は通気栓１４の端部に取り付けた開閉バルブで、その頭部１７には逆止弁が内蔵されており、基部にはネジで前記頭部１７を進退可能に保持した連結筒１８が取付けられている。１９は連結筒１８の側壁に開口した通気窓で、頭部１７を回して緩めたときに通気栓１４にこの通気窓１９からエアを送り込んで外袋１３の吸引を解除するようになっている。もちろん、前記頭部１７は使用状態においては閉止されている。
【００２３】
したがって、図３（ａ）に示すように前記粒状の充填材１２を被包装物品２１に接触する位置に配置し、その上で（ｂ）に示すように被包装物品２１を所定位置に収納して、前記通気栓１４から外袋１３内の空気を吸引して外袋１３内および内袋１１内を脱気させ、かつ内袋１１内の粒状の充填材１２を凝集させて固化させることにより、前記被包装物品２１が所定位置において確実に保持されるようになるのである。
図４および図５は、この発明のエア吸引式物品保持装置１０を梱包部材の中に収納する際の通気栓１４の処理の仕方を示すものであり、通気栓１４を直接外袋１３の溶着部位に取り付けるのではなく、前記溶着部位からやや引き出した上で通気栓１４を取り付けるようにしている。こうすることによって通気栓１４を外袋１３の外縁に沿って折畳むことができ、通気栓１４が収納時に邪魔になることがない。
【００２４】
前記内袋１１は通気性のある素材であればその材質を問うものではないが、粒状の充填材１２の大きさよりも小さい網目を有する網状体や多数の通気孔を形成した断面筒状のシートやフィルム等を用いることができる。もちろん、ナイロンストッキング等の通気性のある素材であっても良い。
前記粒状の充填材１２としては例えば、すでに発泡させた発泡ビーズのみならず、発泡スチロール用ビーズを含む、プラスチックペレット（砂粒状、小球状、小円筒状その他の形状）等の軽量でつぶれにくい素材を使用することが望ましい。
前記外袋１３としては柔軟に変形することができ、しかも引張強度や引裂き強度に優れた素材が望ましく、被包装物品の角に接触しても破断しにくいウレタンフィルムその他のフィルム素材が利用可能である。
【００２５】
前記粒状の充填材１２を充填すると内袋１１は図６に示すように棒状となり、かつ気密性のある外袋１３内に移動可能に収納することにより、被包装物品２１の形態に合わせて自由に棒状の内袋１１を配置することができ、緩衝機能を所望の位置において充分発揮させることができ、しかも被包装物品２１の設計変更等にも、内袋１１の配置を代えるだけで迅速に対応することができる。
【００２６】
この発明のエア吸引式物品保持装置１０において、前記粒状の充填材１２を充填した棒状の内袋１１の、異なる形態の複数の組合せを図７ないし図１３に示す。
すなわち、図７の平面状の配列では棒状の内袋１１を外袋１３内に複数本平行にならべている。このようにすると、棒状の内袋１１が別個独立に緩衝性を発揮するので、非常に緩衝作用に優れたエア吸引式物品保持装置を得ることができる。
【００２７】
図８ないし図１０の配列では、棒状の内袋１１を外袋１３内にリング状にならべている。図８では四角形状の連結構造、図９では三角形状の連結構造、図１０では五角形状の連結構造となっている。このようにすると、棒状の内袋１１が被包装物品の必要な部位において緩衝性を発揮するので、非常に緩衝作用に優れたエア吸引式物品保持装置を得ることができる。
もちろん、リング形状は前記の例に限られるものではなく、六角以上の多角形でも、いびつに変形させたものであってもよい。
【００２８】
図１１および図１２の配列では、棒状の内袋１１を外袋１３内にリング状に並べ、さらにそれを積層構造としたものである。
このようにすると、被包装物品が厚みや深さのあるものであっても問題なく対応することができ、棒状の内袋１１が被包装物品の必要な部位において緩衝性を発揮するので、非常に緩衝作用に優れたエア吸引式物品保持装置を得ることができる。
【００２９】
図１３の配列では、棒状の内袋１１を外袋１３内にリング状に並べ、かつ積層構造としたものであり、さらにこれを外袋１３内の底部に敷設したシート状の内袋１１２と組み合わせたものである。
このようにすると、被包装物品が厚みや深さのあるものであっても問題なく対応することができ、なおかつ底部にも緩衝機能を持たせることができる。
【００３０】
図１４は、前記気密性のある外袋１３に設けた通気栓１４の詳細を示すものである。
すなわち、筒状に成形されたプラスチック等からなる通気栓１４は、一端に蓋体３１が取り付けられ、他端には外袋１３が外装されている。
この通気栓１４と外袋１３との取り付けに際しては、例えば外袋１３を構成するウレタンフィルムを直接プラスチック製通気栓１４に溶着することは難しいので、あらかじめウレタンフィルムとプラスチック製通気栓１４に溶着可能なフィルム１３１とを溶着しておき、その上でプラスチック製通気栓１４に溶着可能なフィルム１３１を溶着して両者を連結することが望ましい。
３２はシボ付け処理等によって内側に粗面化処理を施した耐熱性フィルム，例えばポリプロピレンフィルムで、これを溶着可能なフィルム１３１内に介装しておけば、プラスチック製通気栓１４への溶着処理に際にフィルム１３１が溶着して通気孔を閉じてしまうことがない。図において１３２は溶着可能なフィルム１３１をプラスチック製通気栓１４の外周に強固に保持させるための緊締フィルムである。なお、この緊締フィルム１３２に加えてプラスチック製通気栓１４の表面に周溝状の凹凸を形成しておけば、溶着可能なフィルム１３１をプラスチック製通気栓１４の外周により強固に保持させることができる。
【００３１】
なお、通気栓１４には通気パイプ３３が内装されており、その端部を外袋１３内の所定位置にまで伸ばしてあるので、通気栓１４からエアを吸引する際に通気栓１４近傍で密閉され、エアが吸引できなくなるトラブルを防止することができるようになっている。
もちろんこの通気パイプ３３は、前記外袋１３と通気栓１４との連結処理の後で取り付ける必要がある。
【００３２】
また、前記気密性のある外袋１３に設けた通気栓１４には、その内側端部に小径化した首部３４が形成されている。このように通気栓１４に小径化した首部３４を形成しておけば、該通気栓１４からエアを吸引する際に外袋１３が巻き込まれて通気栓１４を閉じてしまうという問題を回避することができ、エアの吸引や吸引解除を繰り返しても、何ら問題の発生しないエア吸引式物品保持装置を提供することができるのである。
【００３３】
前記通気栓１４には前記開閉バルブ１６を付設し、この開閉バルブ１６に逆止弁を内蔵しておくことが望ましい。このような逆止弁の例としては、本発明者が先に提案した特許第３８２０４８９号公報に記載のものを利用することができる。
すなわちこの逆止弁は、吸引方向に圧力がかかると内部エアの移動を許容し、吸引を解除する方向に圧力がかかると閉じるようになっている。すなわちこの逆止弁は、ドーム状の頭部に切り込みが設けられた構造からなっており、吸引方向に圧力がかかると切り込みが開いて内部エアの移動を許容し、吸引を解除する方向に圧力がかかると切り込みが閉じて空気等の流入を防止するよう構成したものである。
もちろん、エアの吸引ポンプも同様の逆止弁を備えており、前記通気栓１４の先端の外付けパイプ１５に吸引ポンプ（図示せず）の接続パイプを連結した上、外袋１３内の空気を吸引ポンプで吸引すれば、外袋１３内および内袋１１内から空気が排出され、内袋１１内の粒状の充填材１２が被包装物品の外周に沿って凝集し、固化するようになっている。
【００３４】
図１５の例においては、この発明のエア吸引式物品保持装置を硬質の枠内に収納した状態を示している。
すなわち、容器状の硬質の外枠４１を利用してこの発明のエア吸引式物品保持装置を収納し、外袋１３の所定位置に内袋１１を配置した後、被包装物品２１をエア吸引式物品保持装置上に搭載する。
その上で吸引ポンプで外袋１３内のエアを吸引して排気すれば、エアの吸引によって内袋１１内の粒状の充填材１２が被包装物品２１の周囲に沿って凝集固化し、被包装物品２１を保持するとともに、外枠４１の内壁面にも保持されるのである。
なお、硬質の外枠４１としては、前記容器状のみならず、種々の形態の枠形状を採用することができる。
【００３５】
なお、前記硬質の外枠４１内に所定の間隔で間仕切り４２を施し、該外枠４１内に粒状の充填材１２を充填した内袋１１、および内袋１１を収納した気密性のある外袋１３を収納すれば、その後のエアの吸引によって前記間仕切り４２にかみ合うようにして内袋１１内の充填材１２が凝集して固化する。したがって、前記充填材１２の凝集固化によってこの発明のエア吸引式物品保持装置と外枠４１の内側との間に隙間が発生しても、充填材１２と間仕切り４２とのかみ合いによってこの発明のエア吸引式物品保持装置が外枠４１内でぐらつくことがない。
【００３６】
図１６ないし図１７は、この発明のエア吸引式物品保持装置の別の実施例を示すものである。
この実施例においては、内袋１１と外袋１３とをほぼ相似形に形成している。このように構成することによって、その全面に種々の被包装物品２１を適宜の間隔で配置して収納保持することができ、非常に自由度が高く、かつ効率よく被包装物品２１を収納することができる。
【００３７】
図１８ないし図１９は、この発明のエア吸引式物品保持装置のさらに別の実施例を示すものである。
この実施例においては、内袋１１と外袋１３との間に変形可能な補強シート５１を介在させている。この補強シート５１が存在することによって、凝集固化した粒状の充填材１２が粒状の充填材１２間のすべりによって変形しようとしてもその変形を妨げられるので、エア吸引式物品保持装置の形態保持能が大幅に向上する。
ちなみに、この発明のエア吸引式物品保持装置をシート状ないし帯状に形成し、これを腕や足の骨折部位に装着すれば、着脱を自由に行なうことができるギブスとしても利用可能である。
本発明者は先に、特許第３６６５８７９号公報において示されるような、横軸もしくは縦軸が互いに噛み合うように対向させた複数の網状物を外袋内に収納し、この外袋内の空気を脱気した際に上記横軸もしくは縦軸が互いに噛み合って固化するようにしたことを特徴とする特殊形状網の組合せによる真空固体板を提案している。
この実施例のエア吸引式物品保持装置は本発明者の前記先行技術をも改良したものとして理解することができる。
【産業上の利用可能性】
【００３８】
以上図示し説明したように、この発明のエア吸引式物品保持装置によれば、電化製品や工業製品、食器やその他の物品を移送するための梱包材料としてのみならず、被包装物品を確実に保持することができる機能に着目して、工業製品の組立や加工のための固定治具としても使用することができる。
【００３９】
例えば、工業製品に部品を組付けたり加工したりする際に工業製品やそのための部材をこの発明のエア吸引式物品保持装置で保持しておいて、部品を組付けたり加工したりすることができ、工業製品や部材が設計変更される度に高価な治具を新たに作成する必要がなくなる。
したがって、製造コストを大幅に低減させることができるばかりか、用済み後の治具を廃棄するための無駄なコストをも削減することができ、全体として製品コストを画期的に削減することが可能となる。
【００４０】
また、この発明のエア吸引式物品保持装置は工業製品等のみならず、ＭＲＩ等における検査に際し、患者の移動を防止して保持する患者の搭載テーブルとしても利用することができる。
ちなみに、患者の移動を防止して保持する患者の搭載テーブルとして利用した場合、搭載する患者に余分な負荷をかけるおそれがなく、しかも患者の体形に応じて確実に保持できるので、検査中の患者の動きを無理なく制限することができ、検査ミスを大幅に低減して良好な検査結果を得ることができる。
【図面の簡単な説明】
【００４１】
【図１】この発明のエア吸引式物品保持装置の一実施例を示す平面図である。
【図２】その断面図である。
【図３】（ａ）はその断面図、（ｂ）は被包装物品を収納した状態の断面図である。
【図４】この発明のエア吸引式物品保持装置を梱包部材の中に収納する際の通気栓の処理の仕方を示す斜視図である。
【図５】被包装物品を収納した状態の斜視図である。
【図６】内袋に粒状の充填材を充填した状態の断面図
【図７】外袋内に複数本並行に並べて配置した内袋の配列を示す概略図である。
【図８】外袋内にほぼ四角形状に並べて配置した内袋の配列を示す概略図図である。
【図９】外袋内にほぼ三角形状に並べて配置した内袋の配列を示す概略図である。
【図１０】外袋内にほぼ五角形状に並べて配置した内袋の配列を示す概略図である。
【図１１】内袋を前記リング状に配列し、さらに積層状に積み上げた状態を示す斜視図である。
【図１２】その概略断面図である。
【図１３】リング状に積層した内袋とシート状の内袋の組合せを示す概略断面図である。
【図１４】外袋に取り付けた通気栓の要部を示す部分拡大断面図である。
【図１５】この発明のエア吸引式物品保持装置を硬質の枠内に収納した状態を示す平面図である。
【図１６】この発明のエア吸引式物品保持装置の別の実施例を示す平面図である。
【図１７】（ａ）はその断面図、（ｂ）は被包装物品を収納した状態の断面図である。
【図１８】この発明のエア吸引式物品保持装置のさらに別の実施例を示す平面図である。
【図１９】その使用状態の側面図である。
【符号の説明】
【００４２】
１０  エア吸引式物品保持装置
１１  内袋
１２  粒状の充填材
１３  外袋
１４  通気栓
１５  外付けパイプ
２１  被包装物品
３１  蓋体
３２  耐熱性フィルム
３３  通気パイプ
３４  首部
４１  外枠
４２  間仕切り
５１  補強シート
１１２  内袋
１３１  溶着可能なフィルム
１３２  緊締フィルム
【図１】
0005060336.tif 000002
【図２】
0005060336.tif 000003
【図３】
0005060336.tif 000004
【図４】
0005060336.tif 000005
【図５】
0005060336.tif 000006
【図６】
0005060336.tif 000007
【図７】
0005060336.tif 000008
【図８】
0005060336.tif 000009
【図９】
0005060336.tif 000010
【図１０】
0005060336.tif 000011
【図１１】
0005060336.tif 000012
【図１２】
0005060336.tif 000013
【図１３】
0005060336.tif 000014
【図１４】
0005060336.tif 000015
【図１５】
0005060336.tif 000016
【図１６】
0005060336.tif 000017
【図１７】
0005060336.tif 000018
【図１８】
0005060336.tif 000019
【図１９】
0005060336.tif 000020